【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
印刷コンテンツを受信して、印刷装置に該印刷コンテンツに係る印刷データを出力するテレビ装置であって、
該テレビ装置から画像データを送信可能な複数の表示手段のうち、所定の表示手段を選択する選択手段と、
選択された表示手段に、前記印刷コンテンツの印刷プレビュー画像を表示可能に制御する制御手段と、
を有することを特徴とするテレビ装置。
【請求項２】
前記印刷プレビュー画像に係るプレビュー画像データは、前記印刷コンテンツに付随して受信される
ことを特徴とする請求項１記載のテレビ装置。
【請求項３】
前記印刷プレビュー画像に係るプレビュー画像データは、前記印刷データを表示データに変換したデータである
ことを特徴とする請求項１記載のテレビ装置。
【請求項４】
前記複数の表示手段は、
前記テレビ装置に接続された表示手段と、
前記テレビ装置を操作可能なリモコン装置に設けられた表示手段と、
を含むことを特徴とする請求項２または３記載のテレビ装置。
【請求項５】
前記プレビュー画像を表示する表示手段の解像度を取得する手段と、
前記表示手段の解像度に適合するように、前記プレビュー画像データの解像度を変換する第１の解像度変換手段と、
を有することを特徴とする請求項２または３記載のテレビ装置。
【請求項６】
前記リモコン装置は、前記リモコン装置に設けられた表示手段に表示された前記印刷プレビュー画像に対して、拡大処理または縮小処理を実行する範囲を指示する拡大縮小指示手段と、
前記拡大縮小指示手段により指示された範囲の前記プレビュー画像データの解像度を、
前記リモコン装置に設けられた表示手段の解像度に適合するように変換する第２の解像度変換手段と、
を有することを特徴とする請求項４記載のテレビ装置。
【請求項７】
印刷コンテンツを受信して、印刷装置に該印刷コンテンツに係る印刷データを出力するテレビ装置の制御方法であって、
該テレビ装置から画像データを送信可能な複数の表示手段のうち、所定の表示手段を選択するステップと、
選択された表示手段に、前記印刷コンテンツの印刷プレビュー画像を表示させるステップと、
を有することを特徴とするテレビ装置の制御方法。
【手続補正２】
【補正対象書類名】明細書
【補正対象項目名】発明の名称
【補正方法】変更
【補正の内容】
【発明の名称】テレビ装置及びその制御方法
【手続補正３】
【補正対象書類名】明細書
【補正対象項目名】０００１
【補正方法】変更
【補正の内容】
【０００１】
この発明は、印刷コンテンツを受信して、印刷装置に該印刷コンテンツに係る印刷データを出力するテレビ装置に関する。
【手続補正４】
【補正対象書類名】明細書
【補正対象項目名】００１１
【補正方法】変更
【補正の内容】
【００１１】
したがって、この発明の目的は、視聴者によりテレビ装置の表示画面に表示された画像や映像に連動した印刷物の印刷を行う際に、印刷プレビュー表示を行う場合において、プレビュー表示可能な表示画面が存在する場合、この表示画面に印刷プレビュー画面を表示し、テレビ装置の表示画面の視聴の妨げとならないようにすることができ、より良好な印刷プレビューを実行することができるテレビ装置及びその制御方法を提供することにある。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
上記目的を達成するために、この発明の第１の発明は、印刷コンテンツを受信して、印刷装置に該印刷コンテンツに係る印刷データを出力するテレビ装置であって、該テレビ装置から画像データを送信可能な複数の表示手段のうち、所定の表示手段を選択する選択手段と、選択された表示手段に、印刷コンテンツの印刷プレビュー画像を表示可能に制御する制御手段と、を有することを特徴とするテレビ装置である。
【手続補正７】
【補正対象書類名】明細書
【補正対象項目名】００１４
【補正方法】変更
【補正の内容】
【００１４】
この第１の発明において、典型的には、印刷プレビュー画像に係るプレビュー画像データは、印刷コンテンツに付随して受信される。
【手続補正８】
【補正対象書類名】明細書
【補正対象項目名】００１５
【補正方法】変更
【補正の内容】
【００１５】
この第１の発明において、典型的には、印刷プレビュー画像に係るプレビュー画像データは、印刷データを表示データに変換したデータである。
【手続補正９】
【補正対象書類名】明細書
【補正対象項目名】００１６
【補正方法】変更
【補正の内容】
【００１６】
この第１の発明において、典型的には、複数の表示手段は、テレビ装置に接続された表示手段と、テレビ装置を操作可能なリモコン装置に設けられた表示手段と、を含む。
【手続補正１０】
【補正対象書類名】明細書
【補正対象項目名】００１７
【補正方法】変更
【補正の内容】
【００１７】
この第１の発明において、典型的には、プレビュー画像を表示する表示手段の解像度を取得する手段と、表示手段の解像度に適合するように、プレビュー画像データの解像度を
変換する第１の解像度変換手段と、を有する。
【手続補正１１】
【補正対象書類名】明細書
【補正対象項目名】００１８
【補正方法】変更
【補正の内容】
【００１８】
この第１の発明において、典型的には、リモコン装置は、リモコン装置に設けられた表示手段に表示された印刷プレビュー画像に対して、拡大処理または縮小処理を実行する範囲を指示する拡大縮小指示手段と、拡大縮小指示手段により指示された範囲の前記プレビュー画像データの解像度を、リモコン装置に設けられた表示手段の解像度に適合するように変換する第２の解像度変換手段と、を有する。
【手続補正１２】
【補正対象書類名】明細書
【補正対象項目名】００１９
【補正方法】変更
【補正の内容】
【００１９】
この発明の第２の発明は、印刷コンテンツを受信して、印刷装置に該印刷コンテンツに係る印刷データを出力するテレビ装置の制御方法であって、該テレビ装置から画像データを送信可能な複数の表示手段のうち、所定の表示手段を選択するステップと、選択された表示手段に、前記印刷コンテンツの印刷プレビュー画像を表示させるステップと、を有することを特徴とするテレビ装置の制御方法である。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００３０
【補正方法】変更
【補正の内容】
【００３０】
以上説明したように、この発明によるテレビ装置及びその制御方法によれば、視聴者によりテレビ装置の表示画面に表示された画像や映像に連動した印刷物の印刷を行う際に、印刷プレビュー表示を行う場合において、プレビュー表示可能な表示画面が存在する場合、この表示画面に印刷プレビュー画面を表示し、テレビ装置の表示画面の視聴の妨げとならないようにすることができ、より良好な印刷プレビューを実行することができる。
【手続補正２３】
【補正対象書類名】明細書
【補正対象項目名】００３１
【補正方法】削除
【補正の内容】
【手続補正２４】
【補正対象書類名】明細書
【補正対象項目名】００４２
【補正方法】変更
【補正の内容】
【００４２】
音声制御部１１２１は、上述したＡＶデコード部１１０３および内部バス２２からの音声データを、切り替えまたは合成、また、音量、音質、臨場感などを制御し、後述する音
声出力部１１２２に供給する処理制御手段である。
【手続補正２５】
【補正対象書類名】明細書
【補正対象項目名】００４５
【補正方法】変更
【補正の内容】
【００４５】
表示合成制御部１１３３は、ＡＶデコード部１１０３からの番組またはＣＭ放送の画像データと、グラフィック制御部１１３１において生成された画像データを、システム制御部１１９１による制御に基づいて、切り替えたり、合成したり、拡大や縮小をしたり、その他の各種変換や補正などを実行したりした後、後述する表示装置１２２２に供給するための回路である。
【手続補正２６】
【補正対象書類名】明細書
【補正対象項目名】００４９
【補正方法】変更
【補正の内容】
【００４９】
インタフェース（Ｉ／Ｆ）部１１６１は、プリンタ装置１３をＴＶ装置１１に接続するためのものである。さらにこのＩ／Ｆ部１１６１を通じて、ＴＶ装置１１によりプリンタ装置１３が制御され、ＴＶ装置１１から送信された印刷データがプリンタ装置１３により印刷される。
【手続補正２７】
【補正対象書類名】明細書
【補正対象項目名】００６０
【補正方法】変更
【補正の内容】
【００６０】
図３に示すように、この第１の実施形態によるリモコン装置は、キーボタン入力部１２０１、タッチパネル付表示部１２０２、データ送受信部１２０７、キーデータ送信部１２０８、およびリモコン制御部１２０９を有して構成されている。
【手続補正２８】
【補正対象書類名】明細書
【補正対象項目名】００６５
【補正方法】変更
【補正の内容】
【００６５】
キーデータ送信部１２０８は、上述したデータ送受信部１２０７とは別に、赤外線を用いてリモコンキーのデータをＴＶ装置１１のリモコン制御部１１８１に送信するためのものである。なお、このリモコン装置１２におけるキーコードデータは、状況に応じて、データ送受信部１２０７により送信されることもある。
【手続補正２９】
【補正対象書類名】明細書
【補正対象項目名】００６６
【補正方法】変更
【補正の内容】
【００６６】
リモコン制御部１２０９は、リモコン装置１２を統括的に制御するためのリモコン用の制御手段である。このリモコン制御部１２０９によりキーボタン入力部１２０１およびタッチパネル部１２０２ｂが操作され、キーボタンやタッチパネルの押下状況が検出される。キーボタンやタッチパネルがユーザにより押下された場合、対応するキーコードや表示装置上の位置情報が、データ送受信部１２０７およびキーデータ送信部１２０８からＴＶ装置１１に送信される。また、データ送受信部１２０７によってデータが受信されると、このデータが表示部１２０２ａに表示されたり、表示の制御が行われたりする。
【手続補正３０】
【補正対象書類名】明細書
【補正対象項目名】００８８
【補正方法】変更
【補正の内容】
【００８８】
印刷サポート要求コマンドは、ＴＶ装置１１にプリンタが接続されており、印刷可能な状態であるかを印刷制御部に対して問い合わせるコマンドがあり、印刷制御部からは、対応、非対応の戻り値がある。
【手続補正３１】
【補正対象書類名】明細書
【補正対象項目名】００９１
【補正方法】変更
【補正の内容】
【００９１】
印刷要求コマンドは、制御文書内の要求、上述した印刷ボタンの押下の検知により、印刷制御部１１９１ｃに対して発行される。引数としては、印刷データ、プレビューデータのＵＲＩ、印刷ファイル名、および上述した番組に関する情報などである。また、プレビュー制御部１１９１ｂにより、印刷プレビューの制御が行われる。
【手続補正３２】
【補正対象書類名】明細書
【補正対象項目名】０１０８
【補正方法】変更
【補正の内容】
【０１０８】
そして、時間Ｔ０が経過すると、図１０に示すように、データ放送の存在を提示するｄマークが表示される（ＳＴ２１０８）。この状態で、視聴者がリモコン装置のｄキーを押下すると、画面の右下に、図４２Ａに示す印刷ボタン、プレビューボタン、キャンセルボタンのＧＵＩ表示が行われる（ＳＴ２１０９）。ここで、視聴者が、キャンセルボタンを選択して、キャンセルボタンにフォーカスさせ、決定キーを押下した場合（ＳＴ２１１０
：キャンセル）、ステップＳＴ２１７２に移行して、キャンセル処理として上述した図４２Ａの印刷コンテンツの提示画面を消去して、図１０の画面に戻る。
【手続補正３３】
【補正対象書類名】明細書
【補正対象項目名】０１１４
【補正方法】変更
【補正の内容】
【０１１４】
また、ステップＳＴ２１１１において、外部装置プレビューが可能である場合、ＳＴ２１１２に移行して、データ放送制御部１１９１ａにより、メモリ部１１５１内に登録された図８に示すプレビュー可能表示装置登録テーブルが参照されて、プレビューをどこに表示させるかを選択させる、図１１に示すようなＴＶボタン、リモコンおよびプリンタなどの各種ボタンのプレビュー場所選択ＧＵＩ表示が行われる。
【手続補正３４】
【補正対象書類名】明細書
【補正対象項目名】０１１８
【補正方法】変更
【補正の内容】
【０１１８】
次に、図９のプレビュー可能表示装置登録テーブルから、リモコン装置１２における表示部１２０２ａの解像度性能を調査する（ＳＴ２１２０）。ここで、図１２に示すように、印刷プレビューデータの解像度（画素数）がリモコンの表示装置の解像度に比して低い場合、または、印刷ファイル内に印刷プレビューデータがない場合には、プレビュー制御部１１９１ｂにおいて、プレビュー用表示装置であるリモコン装置１２の表示部１２０２ａの解像度に合わせて、図７に示す印刷ファイル内の印刷データからプレビューデータを生成し、視聴者の次の操作ボタンとともにリモコン装置の表示装置に表示する（ＳＴ２１２１、ＳＴ２１２２、ＳＴ２１６１）。
【手続補正３５】
【補正対象書類名】明細書
【補正対象項目名】０１１９
【補正方法】変更
【補正の内容】
【０１１９】
一方、図７に示す印刷ファイル内の印刷プレビューデータが存在し、その解像度（画素数）がリモコンの表示装置の解像度と同じ、または高い場合は、印刷用プレビューデータをそのまま、または間引く形の解像度変換を行って、表示データを生成し、他の操作ボタンデータとともに通信部１１７１を通して、リモコン装置１２に送信し、これを受信したリモコン制御部１２０９は、リモコン装置の表示部１２０２ａに、この表示データを表示する（図１２およびＳＴ２１２１、ＳＴ２１２２・ＳＴ２１２３）。なお、番組とともに伝送される印刷プレビューデータを表示した場合と、印刷データから生成したプレビューデータを表示した場合は、全く同一になるとは限らない。
【手続補正３６】
【補正対象書類名】明細書
【補正対象項目名】０１２０
【補正方法】変更
【補正の内容】
【０１２０】
そして、この印刷プレビューが表示された状態で、視聴者が、印刷開始ボタンを選択すると、プレビュー制御部１１９１ｂは、プレビューコマンドの返り値として、データ放送制御部１１９１ａに、“印刷”を返す（ＳＴ２１２５・ＳＴ２１２６）。すると、上述と同様、データ放送制御部１１９１ａは、これを受け、印刷制御部１１９１ｃに、印刷要求コマンドを発行し（ＳＴ２１３１）、印刷制御部から視聴者に必要なＧＵＩのデータが出力され、インタフェース部１１６１を介して、プリンタ装置１３を制御して印刷が行われる（ＳＴ２１３２）。
【手続補正３７】
【補正対象書類名】明細書
【補正対象項目名】０１２１
【補正方法】変更
【補正の内容】
【０１２１】
一方、視聴者が、キャンセルボタンを選択した場合、プレビューコマンドの返り値として、データ放送制御部１１９１ａに、“キャンセル”を返し（ＳＴ２１２５・ＳＴ２１７１）、データ放送制御部１１９１ａは、キャンセル処理として、上述した図１２のプレビュー画面を消去する（ＳＴ２１７２）。以上のようにして、リモコン装置に印刷プレビューが表示される。
【手続補正３８】
【補正対象書類名】明細書
【補正対象項目名】０１２５
【補正方法】変更
【補正の内容】
【０１２５】
ステップＳＴ２３０３において、表示装置の解像度がプレビューデータの解像度より低い場合、ステップＳＴ２３０４に移行して、プリンタ装置１３に対してプレビュー要求コマンドと印刷プレビューデータとが伝送される。他方、印刷プレビューデータの解像度より高い場合は、ステップＳＴ２３１１に移行して、プレビューコマンドとともに印刷データが伝送される。
【手続補正３９】
【補正対象書類名】明細書
【補正対象項目名】０１３１
【補正方法】変更
【補正の内容】
【０１３１】
また、無線表示端末１４は、例えばタッチパネル付きの無線表示端末装置であり、図１６に示すように、タッチパネル付き表示装置１４３２と、各種キーボタンとから構成されている。また、この無線表示端末１４においては、印刷プレビュー表示を行う以外に、タッチパネルの操作によってプレビューデータの拡大、メモ入力および範囲指定印刷が実行
され、ＴＶ表示したり、インターネットブラウザ表示したりすることができるように構成されている。
【手続補正４０】
【補正対象書類名】明細書
【補正対象項目名】０１３５
【補正方法】変更
【補正の内容】
【０１３５】
また、ＡＶデコード部１４１１は、上述したデータ送受信部で受信したデータに含まれる、ＴＶ受信または、これと同等のフォーマットによる映像／音声データなどのデータをデコードして、映像データや音声データを判別し、このデータを、後述するシステム制御部１４９１の制御によって、後述する表示制御部１４３３および音声制御部１４２１に供給するように構成されている。
【手続補正４１】
【補正対象書類名】明細書
【補正対象項目名】０１３６
【補正方法】変更
【補正の内容】
【０１３６】
また、音声制御部１４２１は、上述したＡＶデコード部１４１１および内部バス２２を通じて供給される音声データを切り替えたり、合成したり、音量、音質、臨場感などを制御したりして、後述する音声出力部１４２２に供給するためのものである。
【手続補正４２】
【補正対象書類名】明細書
【補正対象項目名】０１３７
【補正方法】変更
【補正の内容】
【０１３７】
また、音声出力部１４２２は、上述した音声制御部１４２１から入力された音声信号を増幅してスピーカから音声を出力するように構成されている。また、表示制御部１４３３は、データ放送画面、この第２の実施形態によるＴＶシステム内のアプリケーション画面またはメッセージなどの、いわゆるＧＵＩ画面などを、後述するシステム制御部１４９１の制御に基づいて生成するように構成されている。
【手続補正４３】
【補正対象書類名】明細書
【補正対象項目名】０１３８
【補正方法】変更
【補正の内容】
【０１３８】
また、表示制御部１４３３は、ＡＶデコード部１４１１からの映像データと、システム制御部１４９１からの制御とに基づいて、切替え、合成、拡大／縮小、その他各種変換、補正などを実行し、後述する表示装置１４３２に供給する。
【手続補正４４】
【補正対象書類名】明細書
【補正対象項目名】０１３９
【補正方法】変更
【補正の内容】
【０１３９】
また、この第２の実施形態による表示制御部１４３３は、複数の独立した画像を階層的に表示可能で、ＴＶ装置１１から伝送されるＡＶデコード部１４１１からの画像データ、印刷プレビュー画面、ＴＶ内のアプリケーションとしての表示データ、操作ボタンなどのデータ、また、無線表示端末１４内において制御されるメッセージや操作ボタンなどのデータを、独立して描画可能に構成されている。
【手続補正４５】
【補正対象書類名】明細書
【補正対象項目名】０１４０
【補正方法】変更
【補正の内容】
【０１４０】
タッチパネル付き表示部１４３２は、表示部１４３２ａおよびタッチパネル部１４３２ｂを有するとともに、表示制御部１４３３において生成された画像を表示可能に構成されている。表示部１４３２ａは、例えば３２０×４８０の解像度を有し、この第２の実施形態においては、印刷プレビューが可能な装置として最大の解像度を有している。また、タッチパネル部１４３２ｂは、システム制御部１４９１により制御され、専用ペンにより押下された表示装置上における位置情報を検知する。この位置情報は、データ送受信部１４０２を通じてＴＶ装置１１に送信される。
【手続補正４６】
【補正対象書類名】明細書
【補正対象項目名】０１４３
【補正方法】変更
【補正の内容】
【０１４３】
データ送受信部１４０２にデータが受信されると、ＡＶデコード部１４１１にデコード指示が供給される。これにより、表示制御部１４３３に対して表示制御が実行され、システム制御部１４９１により生成されるデータが、表示部１４３２ａに表示されたり、この表示が制御されたりする。
【手続補正４７】
【補正対象書類名】明細書
【補正対象項目名】０１７２
【補正方法】変更
【補正の内容】
【０１７２】
そして、いずれの場合においても、ステップＳＴ５５１４に移行して、このデータを受信した無線表示端末１４のシステム制御部１４９１により、データが一旦メモリ部１４５
１に保存され、必要に応じて読み出されて、表示制御部１４３３が制御され、印刷プレビュー画面と操作ボタン画面とが、図２２に示すように表示される。
以上のようにして、プレビュー表示が行われる。
【手続補正４８】
【補正対象書類名】明細書
【補正対象項目名】０１８６
【補正方法】変更
【補正の内容】
【０１８６】
その後、ステップＳＴ５７３１に移行して、視聴者により、タッチペンでタッチパネル付表示部１４３２におけるタッチパネル部１４３２ｂがなぞられると、ステップＳＴ５７３２に移行して、位置情報が連続的にＴＶ装置１１に伝送される。
【手続補正４９】
【補正対象書類名】明細書
【補正対象項目名】０１８８
【補正方法】変更
【補正の内容】
【０１８８】
続いて、ステップＳＴ５７３５において、この表示メモデータを受信した無線表示端末１４のシステム制御部１４９１により、表示制御部１４３３が制御され、受信した表示メモデータが例えば黒い点などで描画されて、既存の印刷プレビュー画面と合成するように表示される。従って、タッチペンでなぞった部分が黒く表示され、表示画面上にメモなどの記入ができ、この状態は図２９に示される。
【手続補正５０】
【補正対象書類名】明細書
【補正対象項目名】０１９７
【補正方法】変更
【補正の内容】
【０１９７】
そして、ステップＳＴ５８２４において、この印刷が返されたデータ放送制御部１１９１ａにおいて、印刷制御部１１９１ｃに、印刷要求コマンドが発行される。これに応じて、ステップＳＴ５８２５に移行して、印刷制御部１１９１ｃにより、プリンタ装置１３に対して、印刷データと印刷要求とが送信される。
【手続補正５１】
【補正対象書類名】明細書
【補正対象項目名】０１９８
【補正方法】変更
【補正の内容】
【０１９８】
これにより、ステップＳＴ５８２６において、印刷制御部１１９１ｃにより、印刷ファイルの属性情報より、特殊印刷でないことが検知される。その後、ＳＴ５８２７に移行して、第１の実施形態におけると同様の制御により、図３２または図３９に示すように、上
述した図２０に示す印刷ファイル内において指定された用紙全体に、印刷データ全体が印刷される。
【手続補正５２】
【補正対象書類名】明細書
【補正対象項目名】０２０３
【補正方法】変更
【補正の内容】
【０２０３】
これにより、ステップＳＴ５８４５に移行して、印刷制御部１１９１ｃにより、プリンタ装置１３に印刷データと印刷要求とが送信される。そして、ステップＳＴ５８４６に移行して、この印刷データおよび印刷要求を受信したプリンタ装置１３により、印刷ファイルの属性から拡大印刷であることが判別される。
【手続補正５３】
【補正対象書類名】明細書
【補正対象項目名】０２１０
【補正方法】変更
【補正の内容】
【０２１０】
そして、ステップＳＴ５８６４に移行して、このプレビュー要求コマンドを受信したデータ放送制御部１１９１ａにより、印刷制御部１１９１ｃに、印刷制御を要求する。これにより、ステップＳＴ５８６５において、印刷制御部１１９１ｃにより、プリンタ装置１３に、印刷データと印刷要求とが送信される。
【手続補正５４】
【補正対象書類名】明細書
【補正対象項目名】０２２３
【補正方法】変更
【補正の内容】
【０２２３】
１１  ＴＶ装置
１２  リモコン装置
１３  プリンタ装置
１４  無線表示端末
２１  ネットワーク
２２  内部バス
４１  ヘッダ部
４２  番組データ
４３  データ放送データ
３１２  リモコン装置
１１０１  チューナ部
１１０２  データ分離部
１１０３，１４１１  ＡＶデコード部
１１２１，１４２１  音声制御部
１１２２，１４２２  音声出力部
１１３１  グラフィック制御部
１１３３  表示合成制御部
１１３４  表示部
１１５１  メモリ部
１１６１  インタフェース部
１１７１  通信部
１１８１  リモコン制御部
１１８２  データ送受信部
１１９１  システム制御部
１２０１  キーボタン入力部
１２０１ａ，１４８１ａ  電源キー
１２０１ｂ  音量キー
１２０１ｃ  チャンネルキー
１２０１ｄ  データ放送キー
１２０１ｅ，１４８１ｃ  メニューキー
１２０１ｆ  カーソルキー
１２０２，１４３２  タッチパネル付表示部
１２０２ａ，１４３２ａ  表示部
１２０２ｂ，１４３２ｂ  タッチパネル部
１２０７  データ送受信部
１２０８  キーデータ送信部
１２０９  リモコン制御部
１２２２  表示装置
１３０１  プリンタ機構部
１３０２  データ展開部
１３０３  データ格納部
１３０７  表示部
１３０８  インタフェース部
１３０９  プリンタ制御部
１４０２  データ送受信部
１４３３  表示制御部
１４５１  メモリ部
１４８１  キー入力部
１４８１ｂ  音量キー
１４８１ｄ  カーソルキー
１４８１ｅ  取り消しキー
１４９１  システム制御部
３５０１  インターネット操作画面
３５０２  放送操作パネル
４００１  初期メニュー画面
４１０２  プレビュー操作ボタン
４２０１  拡大ボタン
【手続補正５５】
【補正対象書類名】図面
【補正対象項目名】図５
【補正方法】変更
【補正の内容】
【図５】
2005346236.tif 000001